(57)【要約】【課題】  発生した余分な外力の伝わりが阻止される光ファイバ保持構造、光ファイバ保持部品、及び光モジュールを提供する。【解決手段】  回路基板１２とＦＯＴ１３と固定部材１４と光ファイバ保持部品１５と光コネクタ１６と一対の光ファイバ１７、１７とを備えて光モジュール１１が構成される。光ファイバ保持部品１５は、光ファイバ１７、１７の各中間を保持して固定部材１４に固定されると光ファイバ１７、１７の保持された部分が移動不能の状態になるような部材に構成される。光ファイバ保持部品１５は、保持部品本体２９とカバー３０とを備えて構成される。【選択図】    図１
2005091416.tif 000002
【特許請求の範囲】
【請求項１】
ＦＯＴ（Fiber Optic Transceiver ）と光コネクタとを光学的に結合する光ファイバの中間を、該光ファイバの被覆のみを圧迫する状態で光ファイバ保持部品の保持部に保持させるとともに、前記光ファイバ保持部品を固定部材に対して固定するようにした
ことを特徴とする光ファイバ保持構造。
【請求項２】
請求項１に記載の光ファイバ保持構造において、
Ｕ字状に凹んで延在するＵ字溝と、該Ｕ字溝の延在方向に沿って並ぶ複数の圧入突起と、を有して前記保持部を形成した
ことを特徴とする光ファイバ保持構造。
【請求項３】
請求項１に記載の光ファイバ保持構造において、
Ｕ字状に凹んで延在するＵ字溝を有して前記保持部を形成するとともに、前記Ｕ字溝を前記光ファイバ保持部品の軸に対して傾斜又は蛇行させて形成した
ことを特徴とする光ファイバ保持構造。
【請求項４】
請求項１ないし請求項３いずれか記載の光ファイバ保持構造において、
前記保持部を有する保持部品本体と、該保持部品本体に対して一体又は別体であり且つ取り付けられた後には前記保持部を覆うカバーと、を備えて前記光ファイバ保持部品を構成した
ことを特徴とする光ファイバ保持構造。
【請求項５】
請求項４に記載の光ファイバ保持構造において、
前記カバーに、前記光ファイバを押圧するための突条を形成した
ことを特徴とする光ファイバ保持構造。
【請求項６】
ＦＯＴと光コネクタとを光学的に結合する光ファイバの被覆のみを圧迫して該光ファイバの中間を保持する保持部と、固定部材に固定するための固定部とを有して構成した
ことを特徴とする光ファイバ保持部品。
【請求項７】
請求項６に記載の光ファイバ保持部品において、
Ｕ字状に凹んで延在するＵ字溝と、該Ｕ字溝の延在方向に沿って並ぶ複数の圧入突起と、を有して前記保持部を形成した
ことを特徴とする光ファイバ保持部品。
【請求項８】
請求項６に記載の光ファイバ保持部品において、
Ｕ字状に凹んで延在するＵ字溝を有して前記保持部を形成するとともに、前記Ｕ字溝を傾斜又は蛇行させて形成した
ことを特徴とする光ファイバ保持部品。
【請求項９】
請求項６ないし請求項８いずれか記載の光ファイバ保持部品において、
前記ＦＯＴに突き当てるための当接部を前記保持部に連成した
ことを特徴とする光ファイバ保持部品。
【請求項１０】
請求項９に記載の光ファイバ保持部品において、
前記当接部を、前記ＦＯＴの一部を差し込み可能とする形状に形成した
ことを特徴とする光ファイバ保持部品。
【請求項１１】
請求項６ないし請求項１０いずれか記載の光ファイバ保持部品において、
前記保持部を有する保持部品本体と、該保持部品本体に対して一体又は別体であり且つ取り付けられた後には前記保持部を覆うカバーと、を備えて構成した
ことを特徴とする光ファイバ保持部品。
【請求項１２】
請求項１１に記載の光ファイバ保持部品において、
前記カバーに、前記光ファイバを押圧するための突条を形成した
ことを特徴とする光ファイバ保持部品。
【請求項１３】
請求項６ないし請求項１２いずれか記載の光ファイバ保持部品において、
前記保持部を、光送信用の前記光ファイバを保持する送信側保持部と光受信用の前記光ファイバを保持する受信側保持部とで構成した
ことを特徴とする光ファイバ保持部品。
【請求項１４】
請求項６ないし請求項１３いずれか記載の光ファイバ保持部品と、該光ファイバ保持部品に保持される光ファイバと、該光ファイバにより光学的に結合されるＦＯＴ及び光コネクタと、前記ＦＯＴを実装するための回路基板とを備えて構成した
ことを特徴とする光モジュール。
【発明の詳細な説明】
【技術分野】
【０００１】
本発明は、ピッグテール型の光モジュールと、このような光モジュールに好適な、光ファイバを保持するための光ファイバ保持構造及び光ファイバ保持部品とに関する。
【背景技術】
【０００２】
例えば、自動車をはじめとする様々な移動体においては、各種センサからの信号、及び各種エレクトロニクス機器を制御するための制御信号が非常に多く、これらの信号を個別の信号線を使用して伝送しようとする場合には、その信号線の本数が膨大となり、ワイヤハーネスが非常に重たくなるという問題点が生じている。また、近年、各種エレクトロニクス機器からの伝送情報が大容量化し、高密度化してきていることから、ワイヤハーネスが一層重たくなるという問題点も生じている。このようなことから、近年ではワイヤハーネスの一部を光ファイバに置き換え、例えば各ノード間を光ファイバで接続するようなシステムが採用されるようになってきている。
【０００３】
上記システムは、例えば下記特許文献１に開示されるような光モジュールが用いられている。図１１において、引用符号１は従来例の光モジュールを示している。その光モジュール１は、ピッグテール型の光モジュールであって、プリント基板２と、プリント基板２に実装される光送受信器３と、プリント基板２の端部に設けられる一対の光コネクタ４、４と、光送受信器３及び光コネクタ４、４を光学的に結合する一対の光ファイバ５、５とを備えて構成されている。
【０００４】
光ファイバ５、５は、それぞれ余長部分６、６を有しており、例えば図示のように環状にまとめられて、光送受信器３及び光コネクタ４、４間の余長吸収エリア７に収納、配置されている。
【特許文献１】特開２００３−１４９５１５号公報  （第３頁、第３−４図）
【発明の開示】
【発明が解決しようとする課題】
【０００５】
ところで、上記従来技術にあっては、光送受信器３に光ファイバ５、５からの余分な外力が加わり易いという問題点を有している。すなわち、光送受信器３には、光ファイバ５、５に発生する元の状態に戻ろうとする復元力や、振動その他何らかの要因（組み付け時における光ファイバ５の前後左右の位置ずれなど）で発生する力のような余分な外力が加わり易くなっている。
【０００６】
光送受信器３に上記のような余分な外力が加わると、その光送受信器３を介してプリント基板２に余分な外力が伝わり、その結果、電気的接続部分や電気素子や基板自体が損傷してしまうという問題点を有している。
【０００７】
本発明は、上述した事情に鑑みてなされるもので、発生した余分な外力の伝わりが阻止される光ファイバ保持構造、光ファイバ保持部品、及び光モジュールを提供することを課題とする。
【課題を解決するための手段】
【０００８】
上記課題を解決するためなされた請求項１記載の本発明の光ファイバ保持構造は、ＦＯＴ（Fiber Optic Transceiver ）と光コネクタとを光学的に結合する光ファイバの中間を、該光ファイバの被覆のみを圧迫する状態で光ファイバ保持部品の保持部に保持させるとともに、前記光ファイバ保持部品を固定部材に対して固定するようにしたことを特徴としている。このような特徴を有する本発明によれば、発生した余分な外力がＦＯＴに伝わることはない。すなわち、光ファイバは、その中間が光ファイバ保持部品の保持部に保持され、光ファイバ保持部品が固定部材に固定されると、保持された部分が移動不能の状態になるからである。余分な外力は、光ファイバ保持部品に吸収されることになり、ＦＯＴやそのＦＯＴが実装される回路基板等は保護される。光ファイバ保持部品は、光ファイバの被覆のみを圧迫することから、光損失の要因になることはなく、また、固定部材に固定される部材であることから、光モジュールの組み立て性の低下にもなり難い。さらには、コストの大幅な増大にもなり難い。
【０００９】
請求項２記載の本発明の光ファイバ保持構造は、請求項１に記載の光ファイバ保持構造において、Ｕ字状に凹んで延在するＵ字溝と、該Ｕ字溝の延在方向に沿って並ぶ複数の圧入突起と、を有して前記保持部を形成したことを特徴としている。このような特徴を有する本発明によれば、Ｕ字溝に設けられた複数の圧入突起が光ファイバの被覆に恰も食い込むような状態でその被覆を圧迫することから、光ファイバの長手方向に掛かる力（例えば光ファイバを引き抜こうとする方向の力）に対する摩擦抵抗が増大する。また、Ｕ字溝が長くなるほど摩擦抵抗が増大し、その結果、保持効果が増大する。Ｕ字溝と複数の圧入突起とを有する保持部に保持された光ファイバは、より一層確実に移動不能の状態になる。
【００１０】
請求項３記載の本発明の光ファイバ保持構造は、請求項１に記載の光ファイバ保持構造において、Ｕ字状に凹んで延在するＵ字溝を有して前記保持部を形成するとともに、前記Ｕ字溝を前記光ファイバ保持部品の軸に対して傾斜又は蛇行させて形成したことを特徴としている。このような特徴を有する本発明によれば、光ファイバに掛かる力の方向に対してＵ字溝の延在方向が異なることから、摩擦抵抗が増大する。
【００１１】
請求項４記載の本発明の光ファイバ保持構造は、請求項１ないし請求項３いずれか記載の光ファイバ保持構造において、前記保持部を有する保持部品本体と、該保持部品本体に対して一体又は別体であり且つ取り付けられた後には前記保持部を覆うカバーと、を備えて前記光ファイバ保持部品を構成したことを特徴としている。このような特徴を有する本発明によれば、保持部に保持された光ファイバの、Ｕ字溝開口側の抜けがカバーによって阻止される。光ファイバは、より一層確実に移動不能の状態になる。
【００１２】
請求項５記載の本発明の光ファイバ保持構造は、請求項４に記載の光ファイバ保持構造において、前記カバーに、前記光ファイバを押圧するための突条を形成したことを特徴としている。このような特徴を有する本発明によれば、光ファイバが保持部に押し付けられることから、保持効果がより一層増大する。光ファイバは、より一層確実に移動不能の状態になる。
【００１３】
上記課題を解決するためなされた請求項６記載の本発明の光ファイバ保持部品は、ＦＯＴと光コネクタとを光学的に結合する光ファイバの被覆のみを圧迫して該光ファイバの中間を保持する保持部と、固定部材に固定するための固定部とを有して構成したことを特徴としている。このような特徴を有する本発明によれば、発生した余分な外力が吸収される。すなわち、光ファイバの中間を保持部に保持して固定部材に固定すると、光ファイバの保持された部分が移動不能の状態になるからである。本発明の光ファイバ保持部品により、余分な外力はＦＯＴに伝わらないようになる。その結果、ＦＯＴやそのＦＯＴが実装される回路基板等は保護される。本発明の光ファイバ保持部品は、光ファイバの被覆のみを圧迫することから、光損失の要因になることはなく、また、固定部材に固定される部材であることから、光モジュールの組み立て性の低下にもなり難い。さらには、コストの大幅な増大にもなり難い。
【００１４】
請求項７記載の本発明の光ファイバ保持部品は、請求項６に記載の光ファイバ保持部品において、Ｕ字状に凹んで延在するＵ字溝と、該Ｕ字溝の延在方向に沿って並ぶ複数の圧入突起と、を有して前記保持部を形成したことを特徴としている。このような特徴を有する本発明によれば、請求項２と同様の作用が得られる。すなわち、摩擦抵抗が増大し、光ファイバの移動不能の状態がより一層確実になる。
【００１５】
請求項８記載の本発明の光ファイバ保持部品は、請求項６に記載の光ファイバ保持部品において、Ｕ字状に凹んで延在するＵ字溝を有して前記保持部を形成するとともに、前記Ｕ字溝を傾斜又は蛇行させて形成したことを特徴としている。このような特徴を有する本発明によれば、請求項３と同様の作用が得られる。すなわち、摩擦抵抗が増大する。
【００１６】
請求項９記載の本発明の光ファイバ保持部品は、請求項６ないし請求項８いずれか記載の光ファイバ保持部品において、前記ＦＯＴに突き当てるための当接部を前記保持部に連成したことを特徴としている。このような特徴を有する本発明によれば、固定部材に固定される際に当接部がＦＯＴに突き当たる。これにより、光ファイバ保持部品の固定状態及び位置決めが安定する。光ファイバ保持部品が要因となる上記とは別の余分な外力の発生はなくなる。
【００１７】
請求項１０記載の本発明の光ファイバ保持部品は、請求項９に記載の光ファイバ保持部品において、前記当接部を、前記ＦＯＴの一部を差し込み可能とする形状に形成したことを特徴としている。このような特徴を有する本発明によれば、固定状態及び位置決めがより一層安定する。
【００１８】
請求項１１記載の本発明の光ファイバ保持部品は、請求項６ないし請求項１０いずれか記載の光ファイバ保持部品において、前記保持部を有する保持部品本体と、該保持部品本体に対して一体又は別体であり且つ取り付けられた後には前記保持部を覆うカバーと、を備えて構成したことを特徴としている。このような特徴を有する本発明によれば、請求項４と同様の作用が得られる。すなわち、保持部に保持された光ファイバの抜けがカバーによって阻止される。光ファイバは、より一層確実に移動不能の状態になる。
【００１９】
請求項１２記載の本発明の光ファイバ保持部品は、請求項１１に記載の光ファイバ保持部品において、前記カバーに、前記光ファイバを押圧するための突条を形成したことを特徴としている。このような特徴を有する本発明によれば、請求項５と同様の作用が得られる。すなわち、保持効果がより一層増大する。光ファイバは、より一層確実に移動不能の状態になる。
【００２０】
請求項１３記載の本発明の光ファイバ保持部品は、請求項６ないし請求項１２いずれか記載の光ファイバ保持部品において、前記保持部を、光送信用の前記光ファイバを保持する送信側保持部と光受信用の前記光ファイバを保持する受信側保持部とで構成したことを特徴としている。このような特徴を有する本発明によれば、光ファイバ保持部品を光送信用のものと光受信用のものとに分けるよりも部品点数が少なくなる。これにより、光モジュールの組み立て性も向上する。
【００２１】
上記課題を解決するためなされた請求項１４記載の本発明の光モジュールは、請求項６ないし請求項１３いずれか記載の光ファイバ保持部品と、該光ファイバ保持部品に保持される光ファイバと、該光ファイバにより光学的に結合されるＦＯＴ及び光コネクタと、前記ＦＯＴを実装するための回路基板とを備えて構成したことを特徴としている。このような特徴を有する本発明によれば、発生した余分な外力からＦＯＴや回路基板等が保護される。よりよい光モジュールが提供される。
【発明の効果】
【００２２】
請求項１、６に記載された本発明によれば、発生した余分な外力の伝わりを阻止することができるという効果を奏する。従って、ＦＯＴや電気的接続部分や電気素子や基板自体を保護することができるという効果を奏する。
【００２３】
請求項２、７に記載された本発明によれば、光ファイバの長手方向に掛かる力に対する摩擦抵抗を増大させることができるという効果を奏する。従って、保持効果を高めることができるという効果を奏する。
【００２４】
請求項３、８に記載された本発明によれば、光ファイバ保持部品の軸に対し非平行化したＵ字溝の経路によって、言い換えれば光ファイバに掛かる力の方向に対しＵ字溝の延在方向を変えることによって摩擦抵抗を増大させることができるという効果を奏する。従って、保持効果を高めることができるという効果を奏する。
【００２５】
請求項４、１１に記載された本発明によれば、保持部に保持された光ファイバの、Ｕ字溝開口側の抜けをカバーによって阻止することができるという効果を奏する。従って、保持効果をより一層高めることができるという効果を奏する。
【００２６】
請求項５、１２に記載された本発明によれば、光ファイバを保持部に押し付けることができるという効果を奏する。従って、保持効果をより一層高めることができるという効果を奏する。
【００２７】
請求項９に記載された本発明によれば、光ファイバ保持部品の固定状態及び位置決めを安定させることができるという効果を奏する。従って、光ファイバ保持部品を要因とする上記とは別の余分な外力の発生をなくすことができるという効果を奏する。
【００２８】
請求項１０に記載された本発明によれば、光ファイバ保持部品の固定状態及び位置決めをより一層安定させることができるという効果を奏する。従って、光ファイバ保持部品を要因とする余分な外力の発生を確実になくすことができるという効果を奏する。
【００２９】
請求項１３に記載された本発明によれば、部品点数を少なくすることができるという効果を奏する。また、光モジュールの組み立て性を向上させることができるという効果を奏する。
【００３０】
請求項１４に記載された本発明によれば、よりよい光モジュールを提供することができるという効果を奏する。
【発明を実施するための最良の形態】
【００３１】
以下、図面を参照しながら説明する。
図１は本発明の光モジュールの一実施の形態を示す斜視図、図２は図１の要部拡大図であるとともに、本発明の光ファイバ保持部品及び光ファイバ保持構造の一実施の形態を示す斜視図、図３は図２の分解斜視図、図４は本発明の光ファイバ保持部品の分解斜視図、図５〜図７は光ファイバ保持部品及び光ファイバ保持構造の平面図、側面図、底面図である。
【００３２】
図１において、引用符号１１は本発明の光モジュールを示している。その光モジュール１１は、ピッグテール型の光モジュールであって、既知の回路基板１２と、回路基板１２に実装されるＦＯＴ（Fiber Optic Transceiver ）１３と、回路基板１２に一体又は回路基板１２の近傍に別体で配置される固定部材１４と、固定部材１４に固定される本発明の光ファイバ保持部品１５と、例えば図示しない筐体に固定される光コネクタ１６と、ＦＯＴ１３及び光コネクタ１６を光学的に結合する一対の光ファイバ１７、１７とを備えて構成されている。以下、各構成部材について詳細に説明する。
【００３３】
図１ないし図３において、光モジュール１１を構成する上記ＦＯＴ１３は、発光素子部１８と受光素子部１９とシールドケース２０とを備えて構成されている。発光素子部１８は、複数のリードフレーム２１と、図示しない発光素子（例えばＬＤやＬＥＤ）と、モールド部２２（図７参照）とを有している。受光素子部１９は、同じく複数のリードフレーム２３と、図示しない受光素子（例えばＰＤ）と、モールド部２４（図７参照）とを有している。
【００３４】
発光素子部１８の図示しない発光素子は、複数のリードフレーム２１のうちの一つにマウントされている。また、図示しない発光素子と残りのリードフレーム２１は、電気的に接続されている。モールド部２２は、図示しない発光素子と上記の電気的な接続部分とを覆ってこれらを保護することができるように形成されている。モールド部２２は、光透過性の合成樹脂を用いて成形されている。
【００３５】
受光素子部１９の図示しない受光素子は、複数のリードフレーム２３のうちの一つにマウントされている。また、図示しない受光素子と残りのリードフレーム２３は、電気的に接続されている。モールド部２４は、図示しない受光素子と上記の電気的な接続部分とを覆ってこれらを保護することができるように形成されている。モールド部２４は、光透過性の合成樹脂を用いて成形されている。
【００３６】
発光素子部１８と受光素子部１９は、並んで配置されている。また、本形態において、発光素子部１８の図示しない発光素子と、受光素子部１９の図示しない受光素子は、近接するように配置されている。尚、発光素子部１８と受光素子部１９は、これらを正面から見た場合に発光素子と受光素子の配置が異なるように構成されている。すなわち、どちらが発光素子部１８でどちらが受光素子部１９であるかを即座に見分けることができるようになっている。
【００３７】
シールドケース２０は、発光素子部１８及び受光素子部１９の上に取り付けられる略箱状の部材であって、導電性を有する金属薄板をプレス加工することにより形成されている。シールドケース２０は、発光素子部１８及び受光素子部１９をガタツキのない状態、且つ横に並んで配置することができるように形成されている。このようなシールドケース２０には、各種の固定用脚部２５が複数設けられている。固定用脚部２５は、回路基板１２に形成された図示しない固定穴に差し込まれてアースがなされるとともに、ＦＯＴ１３の固定に寄与するようになっている。
【００３８】
ＦＯＴ１３は、複数のリードフレーム２１、２３を介して回路基板１２の図示しない回路に電気的に接続されるようになっている。尚、引用符号２６、２６は光学的な結合を行うための結合用筒部を示している。結合用筒部２６、２６のそれぞれの奥部には、図示しない発光素子、図示しない受光素子が配置されている。結合用筒部２６は、特許請求の範囲に記載されたＦＯＴ１３の一部に相当するものとする。
【００３９】
光モジュール１１を構成する上記光コネクタ１６は、例えば図１に示されるようなレセプタクル型の光コネクタであって、図示しない光ファイバの端末に設けられたプラグ型の光コネクタをコネクタ接続することができるように構成されている（光コネクタ１６は図示形状のものに限定されないものとする。すなわち光コネクタ１６の形状等は一例であり、既知の各種光コネクタを適用することができるものとする）。引用符号２７は、上記プラグ型の光コネクタに対するコネクタ接続部を示している。
【００４０】
光モジュール１１を構成する上記光ファイバ１７、１７は、そのうちの一本が送信用として、もう一本が受信用として用意されている。本形態の光ファイバ１７、１７は、どちらも同じものであって、ＰＯＦ（Plastic Optical Fiber ）が採用されている。光ファイバ１７、１７は、コアと、コアの上に設けられるクラッドと、クラッドの上に設けられる被覆２８、２８とを備えて構成されている（本形態では既知の光ファイバ素線を光ファイバ１７と呼ぶものとする）。光ファイバ１７、１７の各端末には、ＦＯＴ１３及び光コネクタ１６との結合のための図示しない端末結合部が取り付けられている。
【００４１】
図１ないし図４において、光モジュール１１を構成する上記光ファイバ保持部品１５は、光ファイバ１７、１７の各中間を保持して上記固定部材１４に固定されると光ファイバ１７、１７の保持された部分が移動不能の状態になるような部材であって、保持部品本体２９とカバー３０とを備えて構成されている。光ファイバ保持部品１５は、合成樹脂材により成形されている。
【００４２】
保持部品本体２９は、固定部３１と延設部３２と当接部３３とを有しており、平面視略Ｔ字状に形成されている。保持部品本体２９の上面側には、固定部３１及び延設部３２に跨って保持部３４が形成されている。
【００４３】
固定部３１は、固定部材１４に固定される部分であって、略直方体形状に形成されている。また、固定部３１は、光ファイバ１７の長手方向に対して直交方向に延在するように形成されている。このような固定部３１の上面３５には、固定部材１４からの図示しないボルトが差し込まれる固定穴３６、３６が形成されている。固定穴３６、３６は、保持部３４を挟んだ両側に配置形成されている。
【００４４】
固定部３１の下面３７（図７参照）には、固定穴３６、３６に連続するようにナット３８、３８（図７参照）が圧入固定されている。そのナット３８、３８には、固定部材１４からの上記図示しないボルトが螺合するようになっている。固定部３１の前面３９には、カバー３０に対する挿入口４０と、保持部３４の後述するＵ字溝４７、４７の端部に連続するテーパ面４１、４１とが形成されている。
【００４５】
挿入口４０とテーパ面４１、４１は、その一部が連続するように形成されている。挿入口４０の下縁中央には、小さな突起形状のカバー係止部４２が形成されている。また、挿入口４０の奥には、カバー３０を突き当てるためのカバーストッパ４３、４４が形成されている。固定部３１の後面４５には、延設部３２が連成されている。
【００４６】
延設部３２は、保持部３４の長さを確保するための部分であって、光ファイバ１７の長手方向、言い換えれば保持部品本体２９の軸方向に沿って形成されている。また、延設部３２は、保持部３４の後述する保持効果を考慮して形成されている。さらに、本形態においては、固定部材１４に対する固定位置とＦＯＴ１３の配置も考慮して形成されている。このような延設部３２には、挿入口４０に連続する案内溝４６、４６が形成されている。その案内溝４６、４６は、挿入口４０を介して挿入されるカバー３０の両側を案内するために形成されている。
【００４７】
当接部３３は、ＦＯＴ１３に対して突き当たる部分であって、延設部３２の端部に連成されている。すなわち、当接部３３は、固定部３１の反対側に配置形成されている。当接部３３は、Ｕ字状のフードを上記軸方向に対して直交方向に二つ並べたような形状に形成されている。このような当接部３３には、ＦＯＴ１３の結合用筒部２６、２６が差し込まれるようになっている。当接部３３は、結合用筒部２６、２６を案内しつつＦＯＴ１３の前面に突き当たるようになっている。
【００４８】
保持部３４は、上記軸方向に平行な一対のＵ字溝４７、４７と、そのＵ字溝４７、４７の延在方向、すなわち上記軸方向に沿って並ぶ複数の圧入突起４８とを有している。Ｕ字溝４７、４７は、保持部品本体２９の上面側が開口するＵ字状の溝であって、光ファイバ１７、１７の数に合わせて形成されている。また、Ｕ字溝４７、４７は、その一端がテーパ面４１、４１に連続するように、且つ他端が当接部３３に連続するように形成されている。Ｕ字溝４７、４７は、その溝幅及び深さが光ファイバ１７、１７の径よりも若干大きくなるように形成されている。
【００４９】
複数の圧入突起４８は、光ファイバ１７、１７の各被覆２８、２８に恰も食い込むような状態でその被覆２８、２８を圧迫する突起であって、Ｕ字溝４７、４７の溝形状に合わせてそれぞれＵ字状に形成されている。複数の圧入突起４８は、所定の間隔を有して配置形成されており、その数が多くなればなるほど被覆２８、２８を圧迫する部分が増えて摩擦抵抗が増大するようになっている（Ｕ字溝４７、４７の長さが長く圧入突起４８の数が多いほど光ファイバ１７、１７に対する保持効果が増大する）。本形態においては、一つのＵ字溝４７に八つの圧入突起４８が等間隔で配置形成されているが、この限りではないものとする。
【００５０】
保持部品本体２９における引用符号を付さない凹部（図４及び図７参照）は、成形後の寸法精度を高めるための肉盗みを示している。本形態において、Ｕ字溝４７、４７の一方は送信側保持部を、他方は受信側保持部を構成しているものとする。
【００５１】
カバー３０は、平板部４９と押し込み部５０とを有している。また、カバー３０は、保持部品本体２９に対して別体となるように、且つスライド自在となるように形成されている。平板部４９は、Ｕ字溝４７、４７の開口部分を覆う平面視長方形状の部分であって、その両側には、案内溝４６、４６に案内される段部５１、５１が形成されている。
【００５２】
段部５１、５１は、挿入口４０を介して挿入される挿入端５２から、挿入端５２の反対側の端部近傍まで直線的な形状に形成されている。その端部近傍は、段部５１、５１よりも外側に広がった部分であって、カバーストッパ４４、４４（一方のみ図示）に当接するストッパ５３、５３が形成されている。ストッパ５３、５３は、段部５１、５１に連続するように形成されている。
【００５３】
平板部４９の、Ｕ字溝４７、４７の開口部分に対面する面には、Ｕ字溝４７、４７の配置に合わせて突条５４、５４が形成されている。その突条５４、５４は、高さが低くＵ字溝４７、４７の延在方向に伸びて形成されており、光ファイバ１７、１７をＵ字溝４７、４７に押し付ける機能と、平板部４９の強度を保証するための機能とを有している。
【００５４】
押し込み部５０は、挿入端５２の反対側の端部から立ち上がるような部分であって、挿入口４０を介してカバー３０を挿入する際に、作業者の指で押し込みが行われる部分として形成されている。押し込み部５０は、カバーストッパ４３、４３に当接する面を有するとともに、その基端部分には、カバー係止部４２が引っ掛かる凹状の係止部５５が形成されている。
【００５５】
尚、カバー３０は上述からも分かるように、光ファイバ１７、１７の押圧と、光ファイバ１７、１７のＵ字溝４７、４７の開口部分からの抜けとを阻止するために設けられる部材であるが、光ファイバ１７、１７を保持部３４に対して確実に保持することができるのであれば、特に設けなくてもよいものとする。
【００５６】
光モジュール１１を構成する上記固定部材１４は、本形態において、回路基板１２に対しその位置が不変となるような部分として設けられている。固定部材１４は、回路基板１２に一体又は別体のいずれであってもよく、このような固定部材１４には、光ファイバ保持部品１５を固定するための上記図示しないボルトが設けられている。
【００５７】
上記構成において、ＦＯＴ１３を回路基板１２の所定位置に固定し且つ電気的に接続するとともに、そのＦＯＴ１３に、各一端に光コネクタ１６を取り付けた光ファイバ１７、１７の各他端を光学的に結合すると、光モジュール１１としての主たる機能が行えるように構成される。そして、上記光学的結合の前又は後であって光ファイバ１７、１７の各中間に本発明の光ファイバ保持部品１５を取り付けると、本発明の光モジュール１１の組み立てが完了する（この限りではないものとする）。そして更に、光ファイバ保持部品１５を固定部材１４の所定位置に固定すると本発明の光ファイバ保持構造が機能する。
【００５８】
光ファイバ保持部品１５に関してもう少し詳しく説明すると、結合用筒部２６、２６を案内しつつＦＯＴ１３の前面に当接部３３を突き当てた状態で、各Ｕ字溝４７、４７に光ファイバ１７、１７をそれぞれ差し込み、各被覆２８、２８を複数の圧入突起４８で若干圧迫すると、光ファイバ１７、１７に対する第一の仮保持が完了する。
【００５９】
このような状態において、カバー３０を保持部品本体２９に挿入すると、段部５１、５１が案内溝４６、４６に案内される。この時、カバー３０のスライドに伴って光ファイバ１７、１７が突条５４、５４によりＵ字溝４７、４７に押し付けられる。光ファイバ１７、１７は、複数の圧入突起４８により完全に圧迫されて、その結果、保持部３４に保持される。これにより、光ファイバ１７、１７に対する第二の仮保持と、光ファイバ保持部品１５の組み立てとが完了する。
【００６０】
光ファイバ１７、１７の中間を保持した状態で光ファイバ保持部品１５を固定部材１４の所定位置に固定すると、光ファイバ１７、１７は移動不能の状態になり、光ファイバ１７、１７に対する正規の保持が完了する。尚、保持部品本体２９を固定部材１４の所定位置に固定した後に、カバー３０を挿入するような保持を行ってもよいものとする。
【００６１】
光ファイバ保持部品１５は、固定部材１４に対し単に固定されるのではなく、図５ないし図７に示される如く、ＦＯＴ１３の前面に当接部３３を突き当てた状態で固定されることから、その固定状態が安定するようになっている。また、ＦＯＴ１３の前面に突き当てた当接部３３には、結合用筒部２６、２６が差し込まれることから、位置決め状態も安定するようになっている（必ずしも光ファイバ保持部品１５をＦＯＴ１３の前面に突き当てる必要はないものとする。光ファイバ１７、１７が移動不能の状態になればよいものとする）。
【００６２】
以上、図１ないし図７を参照しながら説明してきたように、光ファイバ１７、１７に仮に余分な外力が発生したとしても、その余分な外力は、固定部材１４に固定された光ファイバ保持部品１５により吸収され、ＦＯＴ１３に伝わってしまうようなことはない。これは、光ファイバ１７、１７の保持された部分が移動不能の状態になるからである。従って、ＦＯＴ１３や回路基板１２等は保護される。よりよい光モジュールが提供されることになる。
【００６３】
その他、光ファイバ保持部品１５は、光ファイバ１７、１７の被覆２８、２８のみを圧迫することから、光損失の要因になることはなく、また、固定部材１４に固定される部材であることから、複雑な固定にならない限り光モジュール１１の組み立て性の低下にもなり難い。さらには、コストの大幅な増大にもなり難い。
【００６４】
次に、図８を参照しながら本発明の光ファイバ保持部品の他の一実施の形態を説明する。図８は他の一実施の形態を示す分解斜視図である。
【００６５】
図８において、本発明の光ファイバ保持部品６１は、合成樹脂製であって、保持部品本体６２とカバー６３とを備えて構成されている。保持部品本体６２は、固定部６４と延設部６５と当接部６６とを有しており、平面視略Ｔ字状に形成されている。保持部品本体６２の上面側には、固定部６４及び延設部６５に跨って保持部６７が形成されている。
【００６６】
固定部６４は、固定部材１４に固定される部分であって、略直方体形状に形成されている。また、固定部６４は、光ファイバ１７の長手方向に対して直交方向に延在するように形成されている。このような固定部６４の上面６８には、固定部材１４からの図示しないボルトが差し込まれる固定穴６９、６９が形成されている。固定穴６９、６９は、保持部６７を挟んだ両側に配置形成されている。
【００６７】
固定部６４の下面には、固定穴６９、６９に連続するようにナット（不図示）が圧入固定されている。そのナットには、固定部材１４からの上記図示しないボルトが螺合するようになっている。固定部６４の前面７０及び上面６８には、カバー６３に対する嵌合部７１と、保持部６７の後述するＵ字溝７５、７５の端部に連続するテーパ面７２、７２とが形成されている。
【００６８】
嵌合部７１とテーパ面７２、７２は、その一部が連続するように形成されている。嵌合部７１には、突起形状のカバー係止部７３、７３が形成されている。固定部６４の後面には、延設部６５が連成されている。
【００６９】
延設部６５は、保持部６７の長さを確保するための部分であって、保持部品本体６２の軸方向に沿って形成されている。また、延設部６５は、保持部６７の保持効果と、固定部材１４に対する固定位置及びＦＯＴ１３の配置とを考慮して形成されている。このような延設部６５には、カバー６３に対する凹状の係止部７４、７４が形成されている。
【００７０】
当接部６６は、ＦＯＴ１３に対して突き当たる部分であって、延設部６５の端部に連成されている。すなわち、当接部６６は、固定部６４の反対側に配置形成されている。当接部６６は、Ｕ字状のフードとなるような形状に形成されている。このような当接部６６には、ＦＯＴ１３の結合用筒部２６、２６が差し込まれるようになっている。当接部６６は、結合用筒部２６、２６を案内しつつＦＯＴ１３の前面に突き当たるようになっている。
【００７１】
保持部６７は、上記軸方向に平行な一対のＵ字溝７５、７５と、そのＵ字溝７５、７５の延在方向、すなわち上記軸方向に沿って並ぶ複数の圧入突起７６とを有している。Ｕ字溝７５、７５は、保持部品本体６２の上面側が開口するＵ字状の溝であって、光ファイバ１７、１７の数に合わせて形成されている。また、Ｕ字溝７５、７５は、その一端がテーパ面７２、７２に連続するように、且つ他端が当接部６６に連続するように形成されている。Ｕ字溝７５、７５は、その溝幅及び深さが光ファイバ１７、１７の径よりも若干大きくなるように形成されている。
【００７２】
複数の圧入突起７６は、光ファイバ１７、１７の各被覆２８、２８に恰も食い込むような状態でその被覆２８、２８を圧迫する突起であって、Ｕ字溝７５、７５の溝形状に合わせてそれぞれＵ字状に形成されている。複数の圧入突起７６は、所定の間隔を有して配置形成されており、その数が多くなればなるほど被覆２８、２８を圧迫する部分が増えて摩擦抵抗が増大するようになっている。
【００７３】
カバー６３は、平板部７７と押し込み部７８とを有している。また、カバー６３は、保持部品本体６２に対して別体となるように（ヒンジを用いてカバーを一体化してもよいものとする）、且つ着脱自在となるように形成されている。
【００７４】
平板部７７は、Ｕ字溝７５、７５の開口部分を覆う平面視長方形状の部分であって、その両側には、係止部７４、７４に引っ掛かる係止突起７９、７９が形成されている。また、平板部７７の、Ｕ字溝７５、７５の開口部分に対面する面には、Ｕ字溝７５、７５の配置に合わせて突条（不図示）が形成されている。尚、引用符号８０は平板部７７における押し込み部分を示している。
【００７５】
押し込み部７８は、固定部６４の厚みに応じた形状に形成されている。このような押し込み部７８の両側には、カバー係止部７３、７３に引っ掛かる係止突起８１、８１が形成されている。
【００７６】
上記構成において、結合用筒部２６、２６を案内しつつＦＯＴ１３の前面に当接部６６を突き当てた状態で、各Ｕ字溝７５、７５に光ファイバ１７、１７をそれぞれ差し込み、各被覆２８、２８を複数の圧入突起７６で若干圧迫すると、光ファイバ１７、１７に対する第一の仮保持が完了する。
【００７７】
このような状態において、カバー６３を保持部品本体６２に嵌合すると、係止突起８１、８１及び７９、７９がカバー係止部７３、７３及び係止部７４、７４に引っ掛かる。この時、光ファイバ１７、１７が平板部７７の突条（不図示）によりＵ字溝７５、７５に押し付けられる。光ファイバ１７、１７は、複数の圧入突起７６により完全に圧迫されて、その結果、保持部６７に保持される。これにより、光ファイバ１７、１７に対する第二の仮保持と、光ファイバ保持部品６１の組み立てとが完了する。
【００７８】
光ファイバ１７、１７の中間を保持した状態で光ファイバ保持部品６１を固定部材１４の所定位置に固定すると、光ファイバ１７、１７は移動不能の状態になり、光ファイバ１７、１７に対する正規の保持が完了する。
【００７９】
以上、図８を参照しながら説明してきたように、光ファイバ１７、１７に仮に余分な外力が発生したとしても、その余分な外力は、固定部材１４に固定された光ファイバ保持部品６１により吸収され、ＦＯＴ１３に伝わってしまうようなことはない。従って、ＦＯＴ１３や回路基板１２等は保護される。上述の形態同様、よりよい光モジュールが提供されることになる。
【００８０】
その他、光ファイバ保持部品６１は、光ファイバ１７、１７の被覆２８、２８のみを圧迫することから、光損失の要因になることはなく、また、固定部材１４に固定される部材であることから、複雑な固定にならない限り光モジュールの組み立て性の低下にもなり難い。さらには、コストの大幅な増大にもなり難い。
【００８１】
続いて、図９及び図１０を参照しながら本発明の光ファイバ保持部品の更に他の一実施の形態を説明する。図９は更に他の一実施の形態を示す斜視図（保持部品本体のみ）、図１０は図９の要部断面図である。
【００８２】
図９及び図１０において、本発明の光ファイバ保持部品９１は、合成樹脂製であって、保持部品本体９２と図示しないカバーとを備えて構成されている。保持部品本体９２は、固定部９３、延設部９４、及び当接部９５を有しており、平面視略Ｔ字状に形成されている。保持部品本体９２の上面側には、固定部９３及び延設部９４に跨って保持部９６が形成されている。尚、固定部９３、延設部９４、及び当接部９５は、上述同様に機能することからここではその説明を省略するものとする。
【００８３】
保持部９６は、保持部品本体９２の軸に対して傾斜（又は蛇行）させて形成した一対のＵ字溝９７、９７を有している。Ｕ字溝９７、９７は、保持部品本体９２の上面側が開口するＵ字状の溝であって、光ファイバ１７、１７の数に合わせて形成されている。このようなＵ字溝９７、９７には、上述同様の複数の圧入突起（不図示）が形成されている。
【００８４】
尚、Ｕ字溝９７、９７は、傾斜（又は蛇行）していることから、圧入突起（不図示）を設けなくとも、光ファイバ１７、１７の長手方向に掛かる力（例えば光ファイバ１７を引き抜こうとする方向の力）に対する摩擦抵抗は十分にあるものとする。
【００８５】
本発明の光ファイバ保持部品９１は、特に説明しないが、上述同様の作用、同様の効果を奏するものとする。
【００８６】
その他、本発明は本発明の主旨を変えない範囲で種々変更実施可能なことは勿論である。
【図面の簡単な説明】
【００８７】
【図１】本発明の光モジュールの一実施の形態を示す斜視図である。
【図２】図１の要部拡大図であるとともに、本発明の光ファイバ保持部品及び光ファイバ保持構造の一実施の形態を示す斜視図である。
【図３】図２の分解斜視図である。
【図４】本発明の光ファイバ保持部品の分解斜視図である。
【図５】図２の光ファイバ保持部品及び光ファイバ保持構造の平面図である。
【図６】図２の光ファイバ保持部品及び光ファイバ保持構造の側面図である。
【図７】図２の光ファイバ保持部品及び光ファイバ保持構造の底面図である。
【図８】本発明の光ファイバ保持部品の他の一実施の形態を示す分解斜視図である。
【図９】本発明の光ファイバ保持部品の更に他の一実施の形態を示す斜視図（保持部品本体のみ）である。
【図１０】図９の要部断面図である。
【図１１】従来例の光モジュールの構成図である。
【符号の説明】
【００８８】
１１  光モジュール
１２  回路基板
１３  ＦＯＴ
１４  固定部材
１５  光ファイバ保持部品
１６  光コネクタ
１７  光ファイバ
２６  結合用筒部（一部）
２８  被覆
２９  保持部品本体
３０  カバー
３１  固定部
３２  延設部
３３  当接部
３４  保持部
４０  挿入口
４１  テーパ面
４２  カバー係止部
４３、４４  カバーストッパ
４６  案内溝
４７  Ｕ字溝
４８  圧入突起
４９  平板部
５０  押し込み部
５１  段部
５２  挿入端
５３  ストッパ
５４  突条
５５  係止部
６１  光ファイバ保持部品
６２  保持部品本体
６３  カバー
６４  固定部
６５  延設部
６６  当接部
６７  保持部
７１  嵌合部
７５  Ｕ字溝
７６  圧入突起
９１  光ファイバ保持部品
９２  保持部品本体
９３  固定部
９４  延設部
９５  当接部
９６  保持部
９７  Ｕ字溝
【図１】
2005091416.tif 000003
【図２】
2005091416.tif 000004
【図３】
2005091416.tif 000005
【図４】
2005091416.tif 000006
【図５】
2005091416.tif 000007
【図６】
2005091416.tif 000008
【図７】
2005091416.tif 000009
【図８】
2005091416.tif 000010
【図９】
2005091416.tif 000011
【図１０】
2005091416.tif 000012
【図１１】
2005091416.tif 000013